(57)【要約】【課題】ある用紙上に形成された光輝性を有する画像を単一方向から測色するだけで、その画像を単一方向以外の他の方向から測色した場合の測色値を得る。【解決手段】多角度測色値推定部４５は、基準用紙とは異なる種類のユーザ用紙上に形成された測定対象画像であるパッチ画像の４５°方向からの測色値と、色変換モデル記憶部４４に記憶された色変換モデルとから、正反射方向（１５°）、拡散光方向（１１０°）の測色値を推定する。色変換モデル生成部４６は、各パッチ画像の正面方向（４５°）の測色値および多角度測色値推定部４５により推定された正反射方向（１５°）、拡散光方向（１１０°）の測色値を用いて、測色方向および各色の色材の色材量の組み合わせと、ユーザ用紙上における測色値とが対応付けられたユーザ用紙用色変換モデルを生成する。【選択図】図１６
2019041244.tif 000002
【特許請求の範囲】
【請求項１】
光輝性色材を含む複数色の色材により第１の用紙上に形成された複数の画像をそれぞれ複数の測色方向から測色することにより得られた複数の測色値と、測色した画像の色材量および当該測色値を測色した際の測色方向との関係を表した色変換モデルを記憶する記憶手段と、
前記第１の用紙とは異なる種類の第２の用紙上に形成された測定対象画像の単一方向からの測色値と、前記記憶手段に記憶された色変換モデルとから、前記測定対象画像を前記単一方向以外の方向から測色した測色値を推定する推定手段と、
を備えた画像処理装置。
【請求項２】
前記推定手段は、前記測定対象画像の光輝性色材の色材量および単一方向からの測色値を前記色変換モデルの逆関数に入力することにより光輝性色材以外の色材の色材量を算出し、算出された光輝性色材以外の色材の色材量および前記色変換モデルに入力した光輝性色材の色材量と、測色値を得たい測色方向を前記色変換モデルに入力することにより前記単一方向以外の他の測色方向における測色値を推定する請求項１記載の画像処理装置。
【請求項３】
前記推定手段は、前記測定対象画像の光輝性色材の色材量に加えて当該測定対象画像の黒色色材の色材量を前記色変換モデルの逆関数に入力することにより光輝性色材および黒色色材以外の色材の色材量を算出する請求項２記載の画像処理装置。
【請求項４】
前記第２の用紙上に形成された複数の測定対象画像の単一方向から測色された複数の測色値および前記推定手段により推定された前記複数の画像の測色値を用いて、測色方向および各色の色材の色材量の組み合わせと、前記第２の用紙上における測色値とが対応付けられた第２の用紙用色変換モデルを生成する生成手段をさらに備えた請求項１から３のいずれか記載の画像処理装置。
【請求項５】
前記受付手段により受付けられた複数の測色値と、前記第２の用紙用色変換モデルから得られる各測色方向の色値との色差の平均値が最小となるような色材量の組み合わせを決定することにより、前記受付手段により受付けられた複数の測色値を、光輝性色材の色材量を示す値および光輝性色材以外の色材の色材量を示す値を含む色値に変換する変換手段をさらに備えた請求項４記載の画像処理装置。
【請求項６】
前記推定手段は、測定対象画像に斜め方向から光を照射した場合に、前記測定対象画像の法線方向である正面方向において測色された測色値から、照射光に対する正反射方向において測色した場合の測色値を推定する請求項１から５のいずれか記載の画像処理装置。
【請求項７】
前記推定手段は、前記正面方向よりも照射光の入射方向に近い側の拡散光方向において測色した場合の測色値をさらに推定する請求項６記載の画像処理装置。
【請求項８】
前記光輝性色材が、金属光沢色トナーである請求項１から７のいずれか記載の画像処理装置。
【請求項９】
光輝性色材を含む複数色の色材により第１の用紙上に形成された複数の画像をそれぞれ複数の測色方向から測色することにより得られた複数の測色値と、測色した画像の色材量および当該測色値を測色した際の測色方向との関係を表した色変換モデルを記憶する記憶手段と、
前記第１の用紙とは異なる種類の第２の用紙上に形成された測定対象画像の単一方向からの測色値と、前記記憶手段に記憶された色変換モデルとから、前記測定対象画像を前記単一方向以外の方向から測色した測色値を推定する推定手段と、
前記第２の用紙上に形成された複数の測定対象画像の単一方向から測色された複数の測色値および前記推定手段により推定された前記複数の画像の測色値を用いて、測色方向および各色の色材の色材量の組み合わせと、前記第２の用紙上における測色値とが対応付けられた第２の用紙用色変換モデルを生成する生成手段と、
光輝性を有する目標色画像を複数の測色方向から測色することにより得られた複数の測色値を受付ける受付手段と、
前記受付手段により受付けられた複数の測色値と、前記第２の用紙用色変換モデルから得られる各測色方向の色値との色差の平均値が最小となるような色材量の組み合わせを決定することにより、前記受付手段により受付けられた複数の測色値を、光輝性色材の色材量を示す値および光輝性色材以外の色材の色材量を示す値を含む色値に変換する変換手段と、
前記変換手段により変換された色値に基づいて画像を出力する出力手段と、
を備えた画像形成装置。
【請求項１０】
光輝性色材を含む複数色の色材により第１の用紙上に形成された複数の画像をそれぞれ複数の測色方向から測色することにより得られた複数の測色値と、測色した画像の色材量および当該測色値を測色した際の測色方向との関係を表した色変換モデルを記憶する記憶ステップと、
前記第１の用紙とは異なる種類の第２の用紙上に形成された測定対象画像の単一方向からの測色値と、前記記憶ステップにおいて記憶した色変換モデルとから、前記測定対象画像を前記単一方向以外の方向から測色した測色値を推定する推定ステップと、
をコンピュータに実行させるためのプログラム。
【発明の詳細な説明】
【技術分野】
【０００１】
本発明は、画像処理装置、画像形成装置およびプログラムに関する。
【背景技術】
【０００２】
特許文献１には、拡散方向の測色値だけでなく、正反射方向の測色値の明度情報から算出された光沢程度情報を用いてメタリック色を含む各色のインク量をそれぞれ決定するようにした画像処理装置が開示されている。
【先行技術文献】
【特許文献】
【０００３】
【特許文献１】特許第５９０９８８７号公報
【発明の概要】
【発明が解決しようとする課題】
【０００４】
本発明の目的は、ある用紙上に形成された光輝性を有する画像を単一方向から測色するだけで、その画像を単一方向以外の他の方向から測色した場合の測色値を得ることが可能な画像処理装置、画像形成装置およびプログラムを提供することである。
【課題を解決するための手段】
【０００５】
［画像処理装置］
請求項１に係る本発明は、光輝性色材を含む複数色の色材により第１の用紙上に形成された複数の画像をそれぞれ複数の測色方向から測色することにより得られた複数の測色値と、測色した画像の色材量および当該測色値を測色した際の測色方向との関係を表した色変換モデルを記憶する記憶手段と、
前記第１の用紙とは異なる種類の第２の用紙上に形成された測定対象画像の単一方向からの測色値と、前記記憶手段に記憶された色変換モデルとから、前記測定対象画像を前記単一方向以外の方向から測色した測色値を推定する推定手段とを備えた画像処理装置である。
【０００６】
請求項２に係る本発明は、前記推定手段が、前記測定対象画像の光輝性色材の色材量および単一方向からの測色値を前記色変換モデルの逆関数に入力することにより光輝性色材以外の色材の色材量を算出し、算出された光輝性色材以外の色材の色材量および前記色変換モデルに入力した光輝性色材の色材量と、測色値を得たい測色方向を前記色変換モデルに入力することにより前記単一方向以外の他の測色方向における測色値を推定する請求項１記載の画像処理装置である。
【０００７】
請求項３に係る本発明は、前記推定手段が、前記測定対象画像の光輝性色材の色材量に加えて当該測定対象画像の黒色色材の色材量を前記色変換モデルの逆関数に入力することにより光輝性色材および黒色色材以外の色材の色材量を算出する請求項２記載の画像処理装置である。
【０００８】
請求項４に係る本発明は、前記第２の用紙上に形成された複数の測定対象画像の単一方向から測色された複数の測色値および前記推定手段により推定された前記複数の画像の測色値を用いて、測色方向および各色の色材の色材量の組み合わせと、前記第２の用紙上における測色値とが対応付けられた第２の用紙用色変換モデルを生成する生成手段をさらに備えた請求項１から３のいずれか記載の画像処理装置である。
【０００９】
請求項５に係る本発明は、前記受付手段により受付けられた複数の測色値と、前記第２の用紙用色変換モデルから得られる各測色方向の色値との色差の平均値が最小となるような色材量の組み合わせを決定することにより、前記受付手段により受付けられた複数の測色値を、光輝性色材の色材量を示す値および光輝性色材以外の色材の色材量を示す値を含む色値に変換する変換手段をさらに備えた請求項４記載の画像処理装置である。
【００１０】
請求項６に係る本発明は、前記推定手段が、測定対象画像に斜め方向から光を照射した場合に、前記測定対象画像の法線方向である正面方向において測色された測色値から、照射光に対する正反射方向において測色した場合の測色値を推定する請求項１から５のいずれか記載の画像処理装置である。
【００１１】
請求項７に係る本発明は、前記推定手段が、前記正面方向よりも照射光の入射方向に近い側の拡散光方向において測色した場合の測色値をさらに推定する請求項６記載の画像処理装置である。
【００１２】
請求項８に係る本発明は、前記光輝性色材が、金属光沢色トナーである請求項１から７のいずれか記載の画像処理装置である。
【００１３】
[画像形成装置]
請求項９に係る本発明は、光輝性色材を含む複数色の色材により第１の用紙上に形成された複数の画像をそれぞれ複数の測色方向から測色することにより得られた複数の測色値と、測色した画像の色材量および当該測色値を測色した際の測色方向との関係を表した色変換モデルを記憶する記憶手段と、
前記第１の用紙とは異なる種類の第２の用紙上に形成された測定対象画像の単一方向からの測色値と、前記記憶手段に記憶された色変換モデルとから、前記測定対象画像を前記単一方向以外の方向から測色した測色値を推定する推定手段と、
前記第２の用紙上に形成された複数の測定対象画像の単一方向から測色された複数の測色値および前記推定手段により推定された前記複数の画像の測色値を用いて、測色方向および各色の色材の色材量の組み合わせと、前記第２の用紙上における測色値とが対応付けられた第２の用紙用色変換モデルを生成する生成手段と、
光輝性を有する目標色画像を複数の測色方向から測色することにより得られた複数の測色値を受付ける受付手段と、
前記受付手段により受付けられた複数の測色値と、前記第２の用紙用色変換モデルから得られる各測色方向の色値との色差の平均値が最小となるような色材量の組み合わせを決定することにより、前記受付手段により受付けられた複数の測色値を、光輝性色材の色材量を示す値および光輝性色材以外の色材の色材量を示す値を含む色値に変換する変換手段と、
前記変換手段により変換された色値に基づいて画像を出力する出力手段とを備えた画像形成装置である。
【００１４】
[プログラム]
請求項１０に係る本発明は、光輝性色材を含む複数色の色材により第１の用紙上に形成された複数の画像をそれぞれ複数の測色方向から測色することにより得られた複数の測色値と、測色した画像の色材量および当該測色値を測色した際の測色方向との関係を表した色変換モデルを記憶する記憶ステップと、
前記第１の用紙とは異なる種類の第２の用紙上に形成された測定対象画像の単一方向からの測色値と、前記記憶ステップにおいて記憶した色変換モデルとから、前記測定対象画像を前記単一方向以外の方向から測色した測色値を推定する推定ステップと、
をコンピュータに実行させるためのプログラムである。
【発明の効果】
【００１５】
請求項１に係る本発明によれば、ある用紙上に形成された光輝性を有する画像を単一方向から測色するだけで、その画像を単一方向以外の他の方向から測色した場合の測色値を得ることが可能な画像処理装置を提供することができる。
【００１６】
請求項２に係る本発明によれば、ある用紙上に形成された光輝性を有する画像を単一方向から測色するだけで、その画像を単一方向以外の他の方向から測色した場合の測色値を得ることが可能な画像処理装置を提供することができる。
【００１７】
請求項３に係る本発明によれば、ある用紙上に形成された光輝性を有する画像を単一方向から測色するだけで、その画像を単一方向以外の他の方向から測色した場合の測色値を得ることが可能な画像処理装置を提供することができる。
【００１８】
請求項４に係る本発明によれば、目標色画像を印刷するための光輝性色材を含む各色色材の色材量を決定する際に使用する色変換モデルを生成する際に用いた第１の用紙とは異なる第２の用紙上に目標色画像を印刷する場合でも、第２の用紙上の各画像を単一方向から測色するだけで、目標色画像を第２の用紙上に出力するための第２の用紙用色変換モデルを得ることが可能な画像処理装置を提供することができる。
【００１９】
請求項５に係る本発明によれば、目標色画像を印刷するための光輝性色材を含む各色色材の色材量を決定する際に使用する色変換モデルを生成する際に用いた第１の用紙とは異なる第２の用紙上に目標色画像を印刷する場合でも、第２の用紙上の各画像を単一方向から測色するだけで、目標色画像を第２の用紙上に出力するための各色色材の色材量を決定することが可能な画像処理装置を提供することができる。
【００２０】
請求項６に係る本発明によれば、ある用紙上に形成された光輝性を有する画像を単一方向から測色するだけで、その画像を正反射方向から測色した場合の測色値を得ることが可能な画像処理装置を提供することができる。
【００２１】
請求項７に係る本発明によれば、ある用紙上に形成された光輝性を有する画像を単一方向から測色するだけで、その画像を正面方向よりも照射光の入射方向に近い側の拡散光方向から測色した場合の測色値を得ることが可能な画像処理装置を提供することができる。
【００２２】
請求項８に係る本発明によれば、ある用紙上に金属光沢色トナーを用いて形成された画像を単一方向から測色するだけで、その画像を単一方向以外の他の方向から測色した場合の測色値を得ることが可能な画像処理装置を提供することができる。
【００２３】
請求項９に係る本発明によれば、目標色画像を印刷するための光輝性色材を含む各色色材の色材量を決定する際に使用する色変換モデルを生成する際に用いた第１の用紙とは異なる第２の用紙上に目標色画像を印刷する場合でも、第２の用紙上の各画像を単一方向から測色するだけで、目標色画像を第２の用紙上に出力するための各色色材の色材量を決定することが可能な画像形成装置を提供することができる。
【００２４】
請求項１０に係る本発明によれば、ある用紙上に形成された光輝性を有する画像を単一方向から測色するだけで、その画像を単一方向以外の他の方向から測色した場合の測色値を得ることが可能なプログラムを提供することができる。
【図面の簡単な説明】
【００２５】
【図１】本発明の一実施形態の画像形成装置１０の外観構成を示す図である。
【図２】画像形成装置１０の本体部内の構造を説明するための図である。
【図３】本発明の一実施形態の画像形成装置１０のハードウェア構成を示すブロック図である。
【図４】本発明の一実施形態の画像形成装置１０の機能構成を示すブロック図である。
【図５】測定対象画像５０を３角度の測色方向（１５°、４５°、１１０）から測色する場合の様子を示す図である。
【図６】変換部４３により、３角度の測色方向における測色値を、各色トナーのトナー量を示す値（ＣＭＹＫＳｉ）を変換する様子を示す図である。
【図７】色変換モデル記憶部４４に記憶される色変換モデルの作成方法を説明するための図である。
【図８】本発明の一実施形態の画像形成装置１０における色変換装置４０の動作を説明するためのフローチャートである。
【図９】変換部４３が色変換の際に用いる目的関数を説明するための図である。
【図１０】最適Ｓｉ値の決定方法を説明するための図である。
【図１１】ＣＭＹＫトナーのみによる通常画像の測色方法を説明するための図である。
【図１２】正面方向（４５°）の測色値のみを用いてメタリック色の色見本画像を再現した場合の問題点を説明するための図である。
【図１３】ＣＭＹＫトナー画像とメタリック色の色見本画像との反射特性の違いを説明するための図である。
【図１４】本発明の一実施形態の色変換方法によりトナー量を決定してメタリック色の色見本画像を印刷した場合の画像例を示す図である。
【図１５】色変換モデルを生成する際に使用した基準用紙６１とは色味が異なるユーザ用紙６２上に色見本画像７０を印刷した場合の様子を説明するための図である。
【図１６】ユーザ用紙用色変換モデルを生成する場合の色変換装置４０の構成を説明するための図である。
【図１７】多角度測色値推定部４５および色変換モデル生成部４６によりユーザ用紙用色変換モデルを生成する動作を説明するためのフローチャートである。
【図１８】色見本画像を印刷しようとするユーザ用紙６２上にカラーチャートを出力した場合の様子を示す図である。
【図１９】多角度測色値推定部４５および色変換モデル生成部４６によりユーザ用紙用色変換モデルを生成する様子を示す図である。
【図２０】ユーザ用紙６２上にメタリック色の色見本画像を印刷するためのトナー量を算出する場合の画像形成装置１０の構成を説明するための図である。
【図２１】５角度の測色方向により測色する場合を説明するための図である。
【発明を実施するための形態】
【００２６】
次に、本発明の実施の形態について図面を参照して詳細に説明する。
【００２７】
図１は本発明の一実施形態の画像形成装置１０の外観構成を示す図である。
【００２８】
本実施形態の画像形成装置１０は、図１に示されるように、例えば、業務用印刷に用いられるいわゆるプロダクションプリンタであり、高画質、高速な印刷処理を実行できるような機能を有している。
【００２９】
この画像形成装置１０の本体部内の構造を図２を参照して説明する。画像形成装置１０は、図２に示されるように、５つの画像形成ユニット２４を備えている。この５つの画像形成ユニット２４は、それぞれイエロー（Ｙ）、マゼンタ（Ｍ）、シアン（Ｃ）、ブラック（Ｋ）および特別色のトナーを用いて画像形成するように構成されている。
【００３０】
なお、特別色のトナーには、銀色のシルバートナー（Ｓｉ）、金色のゴールドトナー（Ｇ）、透明トナー、白色トナー等が存在し、この特別色のトナーの中から１つのトナーを選択して使用することが可能になっている。図２では、これらの特別色のトナーの中から、シルバートナー（Ｓｉ）を選択してセットした場合が示されている。
【００３１】
なお、本実施形態では、シルバートナー、ゴールドトナー等のメタリック（金属光沢色）トナーを用いて画像を形成する場合において、ＣＭＹＫＳｉ各色のトナー量（色材量）を決定する場合について説明するものであるが、以下の説明ではシルバートナーを用いて画像を形成する場合を用いて説明する。トナー量は、プリンタに指示するＣＭＹＫＳｉ各色の情報であってもよいし、プリンタで印刷出力する画像データの色値であってもよい。トナー量が画像データの色値であり、その画像データの色空間がプリンタ出力の色空間と異なる場合には、色空間の変換処理をすればよい。
【００３２】
ここで、トナー量とは、記録媒体上の単位面積当たりに使用されるトナーの量、例えばトナー重量（ｇ／ｍ2）の値でも良いが、以下の説明では、単位面積、例えば１ピクセル当たり使用する各色トナーの量の最大値を１００％とした場合の、印刷する際に使用する各色のトナー量の割合を％で示した値（トナーカバレッジ）で表現する場合を記載する。
【００３３】
画像形成ユニット２４は、それぞれ、感光体ドラム、感光体ドラムの表面を一様に帯電する帯電装置、感光体ドラム上に形成された静電潜像を現像する現像装置等を有している。画像形成ユニット２４の感光体ドラムは、それぞれ、光走査装置２６により照射されたレーザ光により静電潜像が形成され、各色のトナーにより現像されて画像が形成される。
【００３４】
そして、画像形成ユニット２４において形成された各色の画像は、中間転写ベルト２２に転写された後に搬送されてきた印刷用紙上にさらに転写される。そして、印刷用紙上に転写されたトナー像は定着器２８により熱と圧力により印刷用紙上に定着される。
【００３５】
次に、本実施形態の画像形成装置１０のハードウェア構成を図３に示す。
【００３６】
画像形成装置１０は、図３に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、プリントエンジン１６、後処理装置１７を有する。これらの構成要素は、制御バス１８を介して互いに接続されている。
【００３７】
プリントエンジン１６は、帯電、露光、現像、転写、定着などの工程を経て印刷用紙等の記録媒体上に画像を印刷する。後処理装置１７は、プリントエンジン１６により印刷処理が行われた後の用紙に対して、ステイプル処理、パンチ処理、折り処理等の各種後処理を実行する。
【００３８】
ＣＰＵ１１は、メモリ１２または記憶装置１３に格納された制御プログラムに基づいて所定の処理を実行して、画像形成装置１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００３９】
図４は、上記の制御プログラムが実行されることにより実現される画像形成装置１０の機能構成を示すブロック図である。
【００４０】
本実施形態の画像形成装置１０は、図３に示されるように、印刷ジョブ受信部３１と、制御部３２と、ＵＩ装置３３と、出力部３４と、色変換装置４０とを備えている。そして、色変換装置４０は、測色値受付部４１と、測色値記憶部４２と、変換部４３と、色変換モデル（プリンタモデル）記憶部４４とを備えている。なお、色変換装置４０は、トナー量を決定するための色変換処理だけでなく、色変換モデルを生成する等の他の画像処理も実行する画像処理装置として機能する。
【００４１】
印刷ジョブ受信部３１は、外部の端末装置等からネットワークを介して印刷指示を受信する。
【００４２】
制御部３２は、印刷ジョブ受信部３１により受信された印刷ジョブに基づいて、出力部３４を制御することにより印刷処理を実行する。
【００４３】
ＵＩ装置３３は、ユーザからの操作を入力したり、各種情報をユーザに表示したりするための装置である。
【００４４】
ここで、印刷ジョブ受信部３１により受信された印刷ジョブの画像中に、特色が指定されている場合、制御部３２は、指定されている特色名（特色番号）の情報を色変換装置４０に転送して、指定された特色のトナー量を色変換装置４０からの指示に基づいて決定する。
【００４５】
色変換装置４０は、予め特色のトナー量を決定するために、特色の色見本画像を測色した測色値を測色装置５４（不図示）から受け取って記憶しておき、特色名の情報を受け取ると、記憶していた測色値を、シルバートナー（Ｓｉトナー）を含むＣＭＹＫＳｉ値に変換して制御部３２に出力する。以下の説明では、この色変換装置４０を構成する測色値受付部４１、測色値記憶部４２、変換部４３、色変換モデル記憶部４４について説明する。
【００４６】
なお、特色の色見本画像としては、例えば、ＰＡＮＴＯＮＥ（登録商標）社から提供されているメタリック色の各種の色見本画像が用いられる。
【００４７】
測色値受付部４１は、特色の色見本である目標色画像を複数方向から測色することにより得られた複数の測色値を受付ける。具体的には、測色値受付部４１は、図５に示すように、目標色画像に斜め方向から光を照射した場合に、目標色画像の法線方向である正面方向（４５°）において測色された目標色の測色値、および照射光に対する正反射方向（１５°）において測色された目標色画像の測色値、正面方向（４５°）よりも照射光の入射方向に近い側の拡散光方向（１１０°）において測色された目標色画像の測色値を受付ける。
【００４８】
なお、図５は、測定対象画像５０を３角度の測色方向（１５°、４５°、１１０）から測色する場合の様子を示す図であり、光源５２からの照射光を目標対象画像５０に対して斜め４５°方向から照射して、正反射方向を０°（基準方向）とした場合に、１５°、４５°、１１０°方向において測色装置５４により測色する様子が示されている。
【００４９】
なお、図５において４５°方向は、測定対象画像５０の正面方向（法線方向）となっている。また、１５°方向は測定対象画像５０の正反射光を測色するための正反射方向となっている。なお、正反射光を測色するための正反射方向を０°方向とせずに、１５°ずらしているのは、０°方向において測色したのでは正反射光が直接測色装置５４に入射されてしまい、測定対象の色味が測色できないからである。
【００５０】
そして、図５では、１１０°方向を測定対象画像５０からの拡散光を測色するための拡散光方向として設定している。
【００５１】
なお、メタリック色の色見本のような見る方向で色味が変化するような画像以外の通常の画像を測色する際には、正面方向（４５°）からのみ測色を行っている。本実施形態では、この正面方向（４５°）に加えて、正反射方向（１５°）、拡散光方向（１１０°）からも測色を行って測色値を得るようにしている点が通常の測色方法とは異なっている。
【００５２】
なお、少なくとも２方向、例えば、正面方向（４５°）と、正反射方向（１５°）からの測色値を用いてシルバートナーのトナー量を含む色値を算出するようにすることも可能である。
【００５３】
測色値記憶部４２は、測色値受付部４１により受付けた複数の測色方向の測色値を、それぞれ特色名（特色番号）等の特色を識別可能な情報とともに記憶する。
【００５４】
変換部４３は、制御部３２から特色名の情報を指示された場合、その特色名の測色値を測色値記憶部４２から読出し、読み出した複数の測色方向の測色値を、光輝性色材であるシルバートナーのトナー量を示す値Ｓｉおよびシルバートナー以外のトナーのトナー量を示す値ＣＭＹＫを含む色値（ＣＭＹＫＳｉ）に変換する。
【００５５】
この変換部４３により、３角度の測色方向における測色値を、各色トナーのトナー量を示す値（ＣＭＹＫＳｉ）を変換する様子を図６に示す。
【００５６】
なお本実施形態では測色装置５４から出力される測色値がＣＩＥ（国際照明委員会）  Ｌ*ａ*ｂ*表色系で表された信号となっている場合を用いて説明するため、以降の説明では、正面方向（４５°）の測色値をＬ*ａ*ｂ*（４５°）、正反射方向（１５°）の測色値をＬ*ａ*ｂ*（１５°）、拡散光方向（１１０°）の測色値をＬ*ａ*ｂ*（１１０°）として表現する。
【００５７】
図６に示されるように、変換部４３は、正面方向の測色値（Ｌ*（４５°）、ａ*（４５°）、ｂ*（４５°））、正反射方向の測色値（Ｌ*（１５°）、ａ*（１５°）、ｂ*（１５°））、拡散光方向の測色値（Ｌ*（１１０°）、ａ*（１１０°）、ｂ*（１１０°））をそれぞれ入力して、色変換モデル記憶部４４に記憶されている色変換モデルを用いて、ＣＭＹＫＳｉ値を出力する。なお、変換部４３が、入力された測色値を色変換モデルを用いてＣＭＹＫＳｉ値に変換する処理の詳細については後述する。
【００５８】
このように印刷ジョブ受信部３１により受信された印刷ジョブに特色の指定がされている場合、制御部３２は、色変換装置４０における変換部４３により変換された色値（ＣＭＹＫＳｉ）に基づいて画像を出力するよう出力部３４を制御する。
【００５９】
なお、色変換モデル記憶部４４は、各色のトナーのトナー量の組み合わせと、実際に測色された測色値とその測色方法とが対応付けられた色変換モデル（（Ｌ*、ａ*、ｂ*）＝ｆ（Ｃ、Ｍ、Ｙ、Ｋ、Ｓｉ、θ））が記憶されている。ここで、図４に示された色変換モデル（（Ｌ*、ａ*、ｂ*）＝ｆ（Ｃ、Ｍ、Ｙ、Ｋ、Ｓｉ、θ））は、予め決められた基準用紙（第１の用紙）上において目標色画像を再現する場合に用いられる基準用紙用色変換モデルである。
【００６０】
この色変換モデル記憶部４４内の色変換モデルの作成方法を図７を参照して説明する。
【００６１】
先ず、様々な組み合わせのＣ、Ｍ、Ｙ、Ｋ、Ｓｉ値により色票（パッチ）画像を出力する。そして、それぞれの色票に対して図５に示したような測色方法により、３角度の測色方向（１５°、４５°、１１０°）により測色を行う。その結果、それぞれの色票について、Ｌ*ａ*ｂ*（１５°）、Ｌ*ａ*ｂ*（４５°）、Ｌ*ａ*ｂ*（１１０°）という測色値が得られることになる。
【００６２】
そして、これらの値に基づいて、（Ｃ、Ｍ、Ｙ、Ｋ、Ｓｉ、θ（測色方向））を入力することにより色値（Ｌ*、ａ*、ｂ*）が得られるような色変換モデルを作成する。
【００６３】
具体的には、予め様々なＣ、Ｍ、Ｙ、Ｋ、Ｓｉ、θの値の組み合わせによって再現される色を測色してＬ*ａ*ｂ*値を取得することにより、複数の（Ｃ、Ｍ、Ｙ、Ｋ、Ｓｉ、θ）と（Ｌ*，ａ*，ｂ*）の組が得られる。この組を用いることにより（Ｌ*、ａ*、ｂ*）＝ｆ（Ｃ、Ｍ、Ｙ、Ｋ、Ｓｉ、θ）なる関数関係が得られるので、これを色変換モデルとすればよい。この色変換モデルを用いることにより、各色のトナー量ＣＭＹＫＳｉと、測色方向θが与えられると、予測される色値Ｌ*ａ*ｂ*を求めることができる。なお、この色変換モデルに用いる関数としては、重回帰式、ニューラルネットワーク、ダイレクトルックアップテーブルを用いた補間など、色変換モデルとして一般的な関数を用いることができる。
【００６４】
このようにして、（Ｌ*、ａ*、ｂ*）＝ｆ（Ｃ、Ｍ、Ｙ、Ｋ、Ｓｉ、θ）という関数により表現される色変換モデル（基準用紙用色変換モデル）が作成され、作成された色変換モデルは色変換モデル記憶部４４に記憶される。
【００６５】
次に、本実施形態の画像形成装置１０における色変換装置４０の動作を図８のフローチャートを参照して説明する。
【００６６】
先ず、測色値受付部４１は、目標色画像であるメタリック色の色見本の正反射方向（１５°）、正面方向（４５°）、拡散光方向（１１０°）の測色値（Ｌ*ａ*ｂ*（１５°）、Ｌ*ａ*ｂ*（４５°）、Ｌ*ａ*ｂ*（１１０°））を受付ける（ステップＳ１０１）。そして、測色値受付部４１により受付けられた３方向の測色方向から測色された測色値は、特色名の情報とともに測色値記憶部４２に記憶される。
【００６７】
そして、変換部４３は、制御部３２から特色名を指定され、指定された特色のトナー量を決定しようとする場合、先ずＫ値を０（％）、Ｓｉ値を１００（％）に設定する（ステップＳ１０２）。
【００６８】
次に、変換部４３は、３角度の各測色方向における目標色画像の測色値と、色変換モデルから得られる各測色方向の色値との色差の平均値が最小となるような色材量の組み合わせを決定する（ステップＳ１０３）。
【００６９】
具体的には、変換部４３は、３角度の各測色方向における目標色画像の測色値と、色変換モデルから得られる各測色方向の色値との色差の加重平均（重み付け平均）値ΔＥ（ＷＡＶＧ）を算出し、この色差の加重平均値ΔＥ（ＷＡＶＧ）が最小となるＣＭＹ値を決定する。
【００７０】
この色差の加重平均値の具体例について図９を用いて説明する。図９に示すように、各測色方向における色差の加重平均値ΔＥ（ＷＡＶＧ）＝｛ｗ１×（（Ｌ*ａ*ｂ*（１５°）とｆ（Ｃ、Ｍ、Ｙ、０、Ｓｉ、１５）との色差）＋ｗ２×（（Ｌ*ａ*ｂ*（４５°）とｆ（Ｃ、Ｍ、Ｙ、０、Ｓｉ、４５）との色差）＋ｗ３×（（Ｌ*ａ*ｂ*（１１０°）とｆ（Ｃ、Ｍ、Ｙ、０、Ｓｉ、１１０）との色差）｝／（ｗ１＋ｗ２＋ｗ３）という式により加重平均値の算出を行う。
【００７１】
ここで、ｗ１、ｗ２、ｗ３は、それぞれ、正反射方向（１５°）の重み付け係数、正面方向（４５°）の重み付け係数、拡散光射方向（１１０°）の重み付け係数であり、通常は同じ値に設定する。
【００７２】
例えば、各測色方向における色差をそれぞれ同じ重み付けで扱う場合には、重み付け係数としてｗ１＝ｗ２＝ｗ３＝１とすれば良い。この場合には、色差の加重平均値ΔＥ（ＷＡＶＧ）は単純平均値となる。
【００７３】
なお、出力画像のメタリック感を調整する場合は、ｗ１、ｗ２、ｗ３を変更すれば良く、たとえばｗ１をｗ２、ｗ３よりも大きな重み係数に設定することにより、正反射方向（１５°）の色差をより低減するようにＣＭＹ値が決定され、メタリック感の高い画像を得ることができる。
【００７４】
なお、色値Ｐ＝（Ｌ1*、ａ1*、ｂ1*）と、色値Ｑ＝（Ｌ2*、ａ2*、ｂ2*）との色差ΔＥ（ＰＱ）は下記の計算式により算出される。
ΔＥ（ＰＱ）＝（（Ｌ1*−Ｌ2*）2＋（ａ1*−ａ2*）2＋（ｂ1*−ｂ2*）2）1/2
【００７５】
そして、変換部４３は、この色差の加重平均値ΔＥ（ＷＡＶＧ）が最小となるＣＭＹ値を算出する。ここで、変換部４３が、色差の加重平均値ΔＥ（ＷＡＶＧ）が最小となるＣＭＹ値を算出する際の具体的な方法としては、例えばシンプレックス法やニュートン法などの非線形方程式の数値解法を適用して最適化問題を解決する一般的な方法を用いることができる。
【００７６】
そして、色差の加重平均値ΔＥ（ＷＡＶＧ）が最小となるＳｉ値が確定した場合（ステップＳ１０４においてｙｅｓ）、処理をステップＳ１０６に進めるが、ここではまだＳｉ値が確定していないため（ステップＳ１０４においてｎｏ）、変換部４３は、Ｓｉ値を、例えば９９％、９８％、９７％・・・のように１００％から順次減少させる（ステップＳ１０５）。
【００７７】
そして、変換部４３は、再度ステップＳ１０３の処理を実行し、色差の加重平均値ΔＥ（ＷＡＶＧ）が最小となるＳｉ値が確定するまで処理を繰り返す。そして、色差の加重平均値ΔＥ（ＷＡＶＧ）が最小となるＳｉ値が確定した場合（ステップＳ１０４においてｙｅｓ）、そのＳｉ値を最適Ｓｉ値とする（ステップＳ１０６）。
【００７８】
この最適Ｓｉ値の決定方法を図１０を参照して説明する。
【００７９】
上述したようにＳｉ値を１００％から順次減少させながら３角度の測色方向における色差の加重平均値ΔＥ（ＷＡＶＧ）を算出することにより、この色差の加重平均値ΔＥ（ＷＡＶＧ）が図１０に示すように変化したものとする。この図１０に示すような場合、最も色差の加重平均値ΔＥ（ＷＡＶＧ）が最小となる７８％が最適Ｓｉ値となる。
【００８０】
そして、変換部４３は、この最適Ｓｉ値が求められた際のＣＭＹ値を最適ＣＭＹ値として決定する（ステップＳ１０６）。つまり、変換部４３は、Ｓｉトナーのトナー量を変化させずにＳｉトナー以外のＣＭＹトナーのトナー量を変化させた場合の色差の加重平均値の最小値を、Ｓｉトナーの異なるトナー量毎に順次算出することにより、色差の加重平均値の最小値が最低となるような最適Ｓｉ値を決定し、最適Ｓｉ値を決定した場合のＣＭＹトナーのトナー量を決定することにより色差の加重平均値が最小となるようなトナー量の組み合わせを決定する。
【００８１】
最後に、変換部４３は、最適ＣＭＹ値、最適Ｓｉ値、Ｋ＝０（％）を、測色したメタリック色の色見本画像に対するトナー量ＣＭＹＫＳiとして制御部３２に出力する（ステップＳ１０７）。
【００８２】
このように、変換部４３は、先ずＳｉトナーのトナー量を変化させずにＳｉトナー以外の他色のトナー（ＣＭＹ）のトナー量を変化させた場合の色差の加重平均値ΔＥ（ＷＡＶＧ）を、Ｓｉトナーの異なるトナー量毎に順次算出することにより、色差の加重平均値ΔＥ（ＷＡＶＧ）の最小値が最低となるようなＳｉトナーのトナー量を決定し、Ｓｉトナーのトナー量を決定した際のＳｉトナー以外のトナーのトナー量を決定することにより色差の平均値が最小となるようなトナー量の組み合わせを決定する。
【００８３】
次に、本実施形態の色変換装置４０では３角度の測色方向（１５°、４５°、１１０°）により測色された測色値を用いて、メタリック色の色見本画像を再現する際のＣＭＹＫＳｉトナーのそれぞれのトナー量を決定している理由を以下において説明する。
【００８４】
先ず、ＣＭＹＫトナーのみによる通常画像の測色方法を図１１を参照して説明する。メタリック色トナーを含まないＣＭＹＫトナーのみによる通常画像の反射特性は図１１に示すようになっており、正反射方向の光量は他方向よりも大きくなっているが、正反射方向以外の他の方向の拡散光の光量はほぼ同じとなっているのが分かる。そのため、通常の測色方法では、光源５２からの照射光を斜め方向で測定対象画像５０に照射して、正面方向（４５°）における色値を測色装置５４により測色している。
【００８５】
このような通常の測色方法によりメタリック色の色見本を測色して、その測色値に基づいてＣＭＹＫＳｉトナーのトナー量を決定することにより色見本画像を再現した場合の問題点を図１２を参照して説明する。
【００８６】
このように正面方向（４５°）の測色値のみを用いてメタリック色の色見本を再現した場合、正面方向（４５°）から見た場合の色味は近づけることが可能である。しかし、例えば１５°の正反射方向から見た場合の色味が大きく変わってしまう場合がある。図１２に示した例では、１５°の正反射方向から見た場合に、実際のメタリック色の色見本と比較して、ＣＭＹＫＳｉトナーにより印刷した再現画像では濃度が濃くなっており、濃度が異なる状態となっているのが分かる。
【００８７】
通常の環境下においては、様々な方向からの光が観察対象に照射されて反射された状態となっているため、人はこの様々な反射光を見て物体の色を判断している。そのため、見た方向からの色が大きく変化するメタリック色の画像等において、ある方向から見た場合の色のみを再現したとしても他方向から見た場合の色味が実際の画像とは大きく異なると、実際の照明下で見た場合の色味も変ってしまうことになる。
【００８８】
次に、ＣＭＹＫトナー画像とメタリック色の色見本画像との反射特性の違いを図１３を参照して説明する。
【００８９】
メタリック色の色見本画像とＣＭＹＫトナー画像とでは、反射特性の違いにより、メタリック色の色見本画像では、ＣＭＹＫトナー画像に対して、正反射方向（１５°）の明度が高く、拡散光方向（１１０°）の明度が低くなっている。
【００９０】
そのため、本実施形態の色変換装置４０では、正面方向（４５°）における測色値だけでなく、正反射方向（１５°）および拡散光方向（１１０°）における測色値を用いて、それぞれの測色方向における色差の平均値が小さくなるようなＣＭＹＫＳｉトナー量の値を決定することにより、いずれの方向から見た場合でも色見本画像に近くなるような画像を再現するようにしている。
【００９１】
このような色変換方法によりトナー量を決定する本実施形態の画像形成装置１０により、メタリック色の色見本画像を印刷した場合の画像例を図１４に示す。
【００９２】
図１４に示すように、本実施形態の色変換方法によりトナー量が決定されたＣＭＹＫＳｉトナーにより画像を印刷した場合、正面方向（４５°）から見た場合だけでなく、正反射方向（１５°）から見た場合の色味もメタリック色の色見本画像に近づいているのが分かる。また、図１４には示されていないが、拡散光方向（１１０°）から見た場合の色味は、色見本画像と比較して明度が若干高くなるが、拡散光方向（１１０°）における色差を反映してトナー量を決定しているので、拡散光方向（１１０°）における色差をあまり大きくすることなく正反射方向（１５°）の濃度を色見本画像に近づけることができる。
【００９３】
上記で説明したようなトナー量の決定方法によれば、複数方向から見た場合の色再現性を高めた目標色画像を印刷するためのＣＭＹＫＳｉトナーのそれぞれトナー量を決定することができる。
【００９４】
しかし、このような目標色画像を、色変換モデルを生成する際に使用した基準用紙等の用紙（第１の用紙）とは種類が異なる用紙（第２の用紙）上に印刷した場合、印刷された目標色画像の色味が変ってしまう。
【００９５】
例えば、図１５に示すように、色変換モデル（基準用紙用色変換モデル）を生成する際に使用した基準用紙６１とは色味が異なるユーザ用紙６２上に、メタリック色の目標色画像の色を再現した色見本画像７０を印刷した場合、基準用紙６１上に印刷した場合の色とは異なる色味となってしまう。
【００９６】
さらに、画像形成装置１０の設置場所が変更されて環境温度が変化した場合、使用するトナーの特性が変化した場合等の出力特性が変化したような場合にも、印刷された目標色画像の色味が変ってしまう。
【００９７】
そのため、本来であれば目標色画像を印刷しようとする用紙であるユーザ用紙６２上に数多くのパッチ画像を印刷して、それぞれのパッチを複数の測色方向から測色して再度色変換モデルを生成する必要がある。
【００９８】
しかし、複数の測色方向から測色を行うための測色装置は高価であるため、このような測色装置を持っていないユーザでは複数の測色方向からの測色を行うことができない。
【００９９】
そこで、本実施形態の画像形成装置１０では、ユーザ用紙上のそれぞれのパッチ画像を４５°方向という単一方向から測色するだけで、１５°、１１０°から測色した場合の測色値を推定して、ユーザ用紙用色変換モデルを生成する。
【０１００】
次に、このようなユーザ用紙用色変換モデルを生成する場合の画像形成装置１０の具体的な構成について以下に説明する。
【０１０１】
このような場合、図４に示した色変換装置４０の構成は、図１６に示すように、多角度測色値推定部４５および色変換モデル生成部４６が新たに追加された構成となる。なお、図１６では、メタリック色の色見本画像を３方向から測色した測色値が既に測色値記憶部４２に記憶されているものとして説明するため、測色値受付部４１については省略して示されている。
【０１０２】
なお、色変換装置４０を画像形成装置１０内において実現するのではなく、パーソナルコンピュータ等の端末装置内において実現するようにしても良い。
【０１０３】
多角度測色値推定部４５は、基準用紙とは異なる種類のユーザ用紙上に形成された測定対象画像であるパッチ画像の単一方向からの測色値と、色変換モデル記憶部４４に記憶された色変換モデルとから、ユーザ用紙上のパッチ画像を単一方向以外の方向から測色した測色値を推定する。
【０１０４】
具体的には、多角度測色値推定部４５は、パッチ画像のメタリックトナーのトナー量および単一方向、例えば正面方向（４５°）からの測色値を色変換モデルの逆関数に入力することによりまたリックトナー以外の他のトナーのトナー量を算出し、算出されたメタリックトナー以外のトナーのトナー量および色変換モデルに入力したメタリックトナーのトナー量と、測色値を得たい測色方向を色変換モデルに入力することにより単一方向以外の他の測色方向における測色値を推定する。
【０１０５】
なお、実際には、多角度測色値推定部４５は、パッチ画像のメタリックトナーのトナー量に加えてパッチ画像の黒色トナーのトナー量を色変換モデルの逆関数に入力することによりメタリックトナーおよび黒色トナー以外のトナーのトナー量を算出する。
【０１０６】
さらに、以下の説明では、多角度測色値推定部４５は、パッチ画像に斜め方向から光を照射した場合に、パッチ画像の法線方向である正面方向（４５°）において測色された測色値から、照射光に対する正反射方向（１５°）において測色した場合の測色値および正面方向（４５°）よりも照射光の入射方向に近い側の拡散光方向（１１０°）において測色した場合の測色値を推定する場合について説明する。
【０１０７】
色変換モデル生成部４６は、ユーザ用紙上に形成された複数のパッチ画像の単一方向、例えば正面方向（４５°）から測色された複数の測色値および多角度測色値推定部４５により推定された複数のパッチ画像の正反射方向（１５°）、拡散光方向（１１０°）の測色値を用いて、測色方向および各色の色材の色材量の組み合わせと、ユーザ用紙上における測色値とが対応付けられたユーザ用紙用色変換モデル（第２の用紙用色変換モデル）を生成する。
【０１０８】
そして、色変換モデル生成部４６により生成されたユーザ用紙用色変換モデルは、色変換モデル記憶部４４に記憶されて、ユーザ用紙上にメタリック色の色見本画像を印刷する際のトナー量を決定する際に使用される。
【０１０９】
次に、多角度測色値推定部４５および色変換モデル生成部４６によりユーザ用紙用色変換モデルを生成する生成方法を図１７のフローチャートを参照して説明する。
【０１１０】
先ず、ユーザ用紙上にＣ、Ｍ、Ｙ、Ｋ、Ｓｉ値の異なる様々な複数のパッチ画像（色票画像）からなるカラーチャートを出力する(ステップＳ２０１)。例えば、色見本画像を印刷しようとするユーザ用紙６２上にカラーチャートを出力した場合の様子を図１８に示す。
【０１１１】
そして、このユーザ用紙６２上の各パッチ画像を単一方向、具体的は正面方向（４５°）からの測色が可能な測色装置により測色する(ステップＳ２０２)。つまり、各パッチ画像の測色値Ｌ*ａ*ｂ*（４５°）が得られることになる。
【０１１２】
次に、多角度測色値推定部４５は、各パッチ画像の測色値Ｌ*ａ*ｂ*（４５°）と、そのパッチ画像を出力する際に使用したＫ値、Ｓｉ値の情報を、色変換モデルの逆関数（）に入力して、ＣＭＹ値を算出する(ステップＳ２０３)。
【０１１３】
そして、多角度測色値推定部４５は、算出されたＣＭＹ値と、パッチ画像のＫ値、Ｓｉ値および測色方向１５°、１１０°を色変換モデルｆ（Ｃ、Ｍ、Ｙ、Ｋ、Ｓｉ、θ）に入力することにより、正反射方向における測色値（Ｌ*ａ*ｂ*（１５°））および拡散反射方向における測色値（Ｌ*ａ*ｂ*（１１０°））を算出する(ステップＳ２０４)。
【０１１４】
なお、多角度測色値推定部４５は、カラーチャート上の全てのパッチ画像に対して、上記のステップＳ２０２〜Ｓ２０４の処理を繰り返す(ステップＳ２０５)。
【０１１５】
すると、色変換モデル生成部４６は、実際に測色された正面方向（４５°）の測色値、および多角度測色値推定部４５により推定された正反射方向（１５°）、拡散光方向（１１０°）の測色値から、ユーザ用紙６２上において色見本画像を印刷するためのトナー量を算出する際に使用するユーザ用紙用色変換モデル（（Ｌ*、ａ*、ｂ*）＝ｇ（Ｃ、Ｍ、Ｙ、Ｋ、Ｓｉ、θ））を生成する。
【０１１６】
このようにして多角度測色値推定部４５および色変換モデル生成部４６によりユーザ用紙用色変換モデルを生成する様子を図１９に示す。
【０１１７】
そして、このようにして生成されたユーザ用紙用色変換モデル（（Ｌ*、ａ*、ｂ*）＝ｇ（Ｃ、Ｍ、Ｙ、Ｋ、Ｓｉ、θ））は、色変換モデル記憶部４４に記憶される。そして、ユーザ用紙６２上に色見本画像を印刷するためのトナー量を算出する場合には、図２０に示すように、変換部４３は、色変換モデル記憶部４４に記憶されているユーザ用紙用色変換モデル（（Ｌ*、ａ*、ｂ*）＝ｇ（Ｃ、Ｍ、Ｙ、Ｋ、Ｓｉ、θ））を用いてトナー量の算出を行う。
【０１１８】
なお、上記では正反射方向（１５°）、正面方向（４５°）、拡散光方向（１１０°）の３角度の測色方向の測色値を用いて、シルバートナーを含む各色のトナー量を算出する場合を用いて説明したが、３角度以上の４角度、５角度等の多角度の測色方向の測色値を用いてトナー量を算出するようにしても良い。例えば、正反射方向（１５°）、正反射方向（２５°）、正面方向（４５°）、拡散光方向（７５°）、拡散光方向（１１０°）の５角度の測色方向により測定対象画像５０の測色を行う場合を図２１に示す。
【０１１９】
この図２１に示したような測色方法により得られた５角度の測色方向の測色値を用いても、上記で説明したのと同様な方法によりシルバートナーを含む各色のトナー量を算出することが可能である。
【０１２０】
つまり、変換部４３は、正反射方向（１５°）、正面方向（４５°）、拡散反射方向（１１０°）の測色値に加えて、正面方向（４５°）よりも正反射方向（１５°）に近い方向（２５°）において測色された目標色画像の測色値や、正面方向（４５°）と光源５２による照射方向との間における拡散光方向（１１０°）において測色された目標色画像の測色値を用いて各色のトナー量を算出するようにしても良い。また、図２１に示したような測色方向以外の測色方向において測色された測色値を用いることも可能である。
【０１２１】
そして、トナー量の算出に用いる測色値の数が多い方が実際の光の下で見た場合の色味を色見本画像に近づけることができる。
【０１２２】
[変形例]
上記実施形態では、シルバートナー、ゴールドトナー等のメタリック（金属光沢色）トナーを用いて印刷を行う画像形成装置に対して適用した場合を用いて説明したが、本発明はこれに限定されるものではなく、トナー以外の色材であってもパール色材等の見る方向により色味が異なるような光輝性色材を用いて印刷を行う場合であれば同様に本発明を適用することができるものである。
【符号の説明】
【０１２３】
１０    画像形成装置
１１    ＣＰＵ
１２    メモリ
１３    記憶装置
１４    通信インタフェース（ＩＦ）
１５    ユーザインタフェース（ＵＩ）装置
１６    プリントエンジン
１７    後処理装置
１８    制御バス
２２    中間転写ベルト
２４    画像形成ユニット
２６    光走査装置
２８    定着器
３１    印刷ジョブ受信部
３２    制御部
３３    ＵＩ装置
３４    出力部
４０    色変換装置
４１    測色値受付部
４２    測色値記憶部
４３    変換部
４４    色変換モデル記憶部
４５    多角度測色値推定部
４６    色変換モデル生成部
５０    測定対象画像
５２    光源
５４    測色装置
６１    基準用紙
６２    ユーザ用紙（特定用紙）
７０    色見本画像
【図１】
2019041244.tif 000003
【図２】
2019041244.tif 000004
【図３】
2019041244.tif 000005
【図４】
2019041244.tif 000006
【図５】
2019041244.tif 000007
【図６】
2019041244.tif 000008
【図７】
2019041244.tif 000009
【図８】
2019041244.tif 000010
【図９】
2019041244.tif 000011
【図１０】
2019041244.tif 000012
【図１１】
2019041244.tif 000013
【図１２】
2019041244.tif 000014
【図１３】
2019041244.tif 000015
【図１４】
2019041244.tif 000016
【図１５】
2019041244.tif 000017
【図１６】
2019041244.tif 000018
【図１７】
2019041244.tif 000019
【図１８】
2019041244.tif 000020
【図１９】
2019041244.tif 000021
【図２０】
2019041244.tif 000022
【図２１】
2019041244.tif 000023
【手続補正書】
【提出日】平成30年2月2日(2018.2.2)
【手続補正１】
【補正対象書類名】明細書
【補正対象項目名】００４０
【補正方法】変更
【補正の内容】
【００４０】
本実施形態の画像形成装置１０は、図４に示されるように、印刷ジョブ受信部３１と、制御部３２と、ＵＩ装置３３と、出力部３４と、色変換装置４０とを備えている。そして、色変換装置４０は、測色値受付部４１と、測色値記憶部４２と、変換部４３と、色変換モデル（プリンタモデル）記憶部４４とを備えている。なお、色変換装置４０は、トナー量を決定するための色変換処理だけでなく、色変換モデルを生成する等の他の画像処理も実行する画像処理装置として機能する。
【手続補正２】
【補正対象書類名】明細書
【補正対象項目名】０１２０
【補正方法】変更
【補正の内容】
【０１２０】
つまり、変換部４３は、正反射方向（１５°）、正面方向（４５°）、拡散反射方向（１１０°）の測色値に加えて、正面方向（４５°）よりも正反射方向（１５°）に近い方向（２５°）において測色された目標色画像の測色値や、正面方向（４５°）と光源５２による照射方向との間における拡散光方向（７５°）において測色された目標色画像の測色値を用いて各色のトナー量を算出するようにしても良い。また、図２１に示したような測色方向以外の測色方向において測色された測色値を用いることも可能である。